(57)【要約】      （修正有）【課題】液体の補給を容易に行うことができる冷風扇を提供する。【解決手段】通気性及び液体を吸収する性質を有する吸水部材１５と、吸水部材に液体を供給する供給部と、吸水部材を通過した気体を外部に送る送風部１６と、吸水部材の下方に設けられ液体が貯留されるタンク１７と、タンクの上面に設けられる第１開口部と、タンクの第１開口部に設けられる蓋１８と、蓋の天面に設けられ吸水部材から天面の上の液体をタンクに流入させる第２開口部と、蓋の天面に設けられ、天面の端部から第２開口部に向かう傾斜面により液体を案内する案内部と、を備え、蓋は、第１開口部を覆う第１位置と第１位置から離れる第２位置との間を相互に第１開口部に沿って移動可能である。【選択図】図４
2019082291.tif 000002
【特許請求の範囲】
【請求項１】
通気性及び液体を吸収する性質を有する吸水部材と、
前記吸水部材に前記液体を供給する供給部と、
前記吸水部材を通過した気体を外部に送る送風部と、
前記吸水部材の下方に設けられ前記液体が貯留されるタンクと、
前記タンクの上面に設けられる第１開口部と、
前記タンクの前記第１開口部に設けられる蓋と、
前記蓋の天面に設けられ前記吸水部材から前記天面の上の前記液体を前記タンクに流入させる第２開口部と、
前記天面に設けられ、前記天面の端部から前記第２開口部に向かう傾斜面により前記液体を案内する案内部と、
を備え、
前記蓋は、前記第１開口部を覆う第１位置と前記第１位置から離れる第２位置との間を相互に前記第１開口部に沿って移動可能である、
冷風扇。
【請求項２】
前記蓋は、前記第２位置にあるときに前記案内部が装置本体から突出し、
前記案内部は、
前記蓋が前記第１位置に位置するとき、前記吸水部材から漏出する前記液体を前記タンクに流入させ、
前記蓋が前記第２位置に位置するとき、外部から補給される前記液体を前記タンクに流入させる、
請求項１に記載の冷風扇。
【請求項３】
前記蓋は、前記第１位置から略平行に前記第２位置に移動する、
請求項１または２に記載の冷風扇。
【請求項４】
前記タンクは、前記蓋が前記第１位置と前記第２位置との間を移動するときに前記蓋の鉛直方向の位置を変化させる位置変化部
を備える、
請求項１乃至３のいずれかに記載の冷風扇。
【請求項５】
前記第２開口部は、水平方向の位置が前記吸水部材の下方とは異なる位置に設けられる、
請求項１乃至４のいずれかに記載の冷風扇。
【請求項６】
鉛直方向における前記吸水部材と前記タンクとの間に設けられ前記吸水部材から漏出した前記液体を受けて前記液体を前記蓋に流す受水部と、
水平方向の位置が前記受水部の前記第２開口部の上方とは異なる位置に設けられ前記液体を前記蓋に流す第３開口部と、
を備える、
請求項１乃至５のいずれかに記載の冷風扇。
【発明の詳細な説明】
【技術分野】
【０００１】
本発明は、冷風扇に関する。
【背景技術】
【０００２】
冷房装置の一種として冷風扇が知られている。冷風扇は、紙などの液体を吸収する性質を持つ材料で形成される部材（以下「吸水部材」という。）に水などの液体を吸わせ、この吸水部材からの気化熱を利用して空気などの気体を通過させて気体を冷却し、この気体を装置外部に送る。このため、冷風扇は、気体を冷却するための液体を貯留するタンクを備える。
【０００３】
なお、冷風扇として、タンクの上方に枢着される導水部材により、吸水フィルタから環流された水をタンク内へと導く技術が開示されている（例えば、特許文献１参照）。
【先行技術文献】
【特許文献】
【０００４】
【特許文献１】特開２００８−１３８９３２号公報
【発明の概要】
【発明が解決しようとする課題】
【０００５】
ところで、冷風扇は、タンクに貯留される液体を消費した場合に、液体を補給する必要がある。
【０００６】
しかし、従来の冷風扇は、例えばタンクを装置本体から引き出して給水用の開口部を装置外部に露出させて液体を補給していた。このような従来の冷風扇は、補給後に液体が入って重くなったタンクを装置内部に戻す必要があるため、操作性が悪く液体をこぼすおそれがあり、液体の補給作業が行い難かった。
【０００７】
また、特許文献１の冷風扇では、装置側方に給水口を設けているが、開口部の大きさが小さいため、補給作業が行い難かった。
【０００８】
本発明は、液体の補給を容易に行うことができる冷風扇を提供することを目的とする。
【課題を解決するための手段】
【０００９】
本発明は、通気性及び液体を吸収する性質を有する吸水部材と、吸水部材に液体を供給する供給部と、吸水部材を通過した気体を外部に送る送風部と、吸水部材の下方に設けられ液体が貯留されるタンクと、タンクの上面に設けられる第１開口部と、タンクの第１開口部に設けられる蓋と、蓋の天面に設けられ吸水部材から天面の上の液体をタンクに流入させる第２開口部と、天面に設けられ、天面の端部から第２開口部に向かう傾斜面により液体を案内する案内部と、を備え、蓋は、第１開口部を覆う第１位置と第１位置から離れる第２位置との間を相互に第１開口部に沿って移動可能である。
【００１０】
また、本発明は、蓋が、第２位置にあるときに案内部が装置本体から突出し、案内部が、蓋が第１位置に位置するとき、吸水部材から漏出する液体をタンクに流入させ、蓋が第２位置に位置するとき、外部から補給される液体をタンクに流入させてもよい。
【００１１】
また、本発明は、蓋が、第１位置から略平行に第２位置に移動してもよい。
【００１２】
また、本発明は、タンクが、蓋が第１位置と第２位置との間を移動するときに蓋の鉛直方向の位置を変化させる位置変化部を備えてもよい。
【００１３】
また、本発明は、第２開口部が、水平方向の位置が吸水部材の下方とは異なる位置に設けられてもよい。
【００１４】
また、本発明は、鉛直方向における吸水部材とタンクとの間に設けられ吸水部材から漏出した液体を受けて液体を蓋に流す受水部と、水平方向の位置が受水部の第２開口部の上方とは異なる位置に設けられ液体を蓋に流す第３開口部と、を備えてもよい。
【発明の効果】
【００１５】
本発明によれば、液体の補給を容易に行うことができる。
【図面の簡単な説明】
【００１６】
【図１】本発明の実施形態に係る冷風扇を示す斜視図である。
【図２】図１の冷風扇の背面図である。
【図３】図１の冷風扇の側面図である。
【図４】図１の冷風扇の断面図である。
【図５】図１の冷風扇のタンクを示す斜視図である。
【図６】図１の冷風扇のタンクの第１開口部に設けられる蓋を示す斜視図である。
【図７】図４の断面図の部分拡大図である。
【図８】蓋の側面の第１係合部とタンクの位置変化部の段差とが係合した状態を示す冷風扇の側面の部分拡大図である。
【図９】蓋を第２位置に移動させた状態を示す冷風扇の側面図である。
【図１０】図９の側面図の部分拡大図である。
【発明を実施するための形態】
【００１７】
以下、本発明の実施形態に係る冷風扇を、図面に基づいて説明する。以下の説明において、冷風扇は、吸水部材に吸わせる液体として水を用い、吸水部材からの気化熱を利用して冷却する気体として空気を用いる。
【００１８】
［冷風扇の構成］
図１は、本発明の実施形態に係る冷風扇を示す斜視図である。図１に示すように、冷風扇１は、正面パネル１１１、上面パネル１１２、側面パネル１１３、及び側面パネル１１４により構成され、略直方体の装置本体の外形形状を形成する。冷風扇１は、筐体の内部に、後述の構成要素を収容する。以下の説明において、冷風扇１は、正面パネル１１１が設けられる面を正面とする。
【００１９】
冷風扇１は、正面パネル１１１に、送風口１２を備える。送風口１２は、冷却した空気を装置外部に送るためにメッシュやパンチングメタルなどのような通風性の部材により構成される。また、冷風扇１は、側面パネル１１３に、操作盤１３を備える。操作盤１３は、冷風扇１の操作を行うためのスイッチ類が配置される。
【００２０】
図２は、冷風扇の背面図である。また、図３は、冷風扇１の側面図である。図３では、冷風扇１の構成を説明するために、側面パネル１１３を取り外している。図２及び図３に示すように、冷風扇１は、筐体内に設けられる構成要素として、ベース部１４と、吸水部材１５と、送風部１６と、タンク１７と、蓋１８と、受水トレイ１９、ポンプ２１とを備える。
【００２１】
ベース部１４は、吸水部材１５、送風部１６、タンク１７などの冷風扇１の構成要素を搭載する基台となる部材である。ベース部１４は、冷風扇１を設置する際の脚部として機能するキャスタ１４１を備える。キャスタ１４１は、ベース部１４の底部の四隅付近に取り付けられる。キャスタ１４１には、車輪が設けられるため、冷風扇１をユーザが手押しして容易に移動させることができる。冷風扇１における脚部は、車輪付きのキャスタ１４１ではなく車輪なしでもよい。
【００２２】
吸水部材１５は、通気性及び液体を吸収する性質を有する材料で形成される。具体的には、吸水部材１５は、液体の一例である水を吸収する性質、つまり吸水性を有する。このため、吸水部材１５は、例えばボール紙や厚紙などの紙部材を用いて構成される。このような吸水部材１５は、軽量で交換作業時などに容易に取り扱うことができる。吸水部材１５は、複数の紙部材を積層させてハニカム状に形成される。冷風扇１は、背面側から導入される外部からの空気が水分を含んだ吸水部材１５を通過する。冷風扇１では、吸水部材１５からの気化熱を利用して冷却効果を得る。
【００２３】
吸水部材１５の背面側には、吸水部材１５を通過する前の空気に含まれる塵などをろ過するフィルタ１５１が設けられる。
【００２４】
送風部１６は、吸水部材１５を通過した空気を送風口１２から冷風扇１の装置の外部に送り出す。送風部１６は、例えば回転羽根を持つ電動式のファンである。送風部１６は、モータ１６１と、プロペラ１６２と、シュラウド１６３と、ルーバ部１６４とを備える。送風部１６は、モータ１６１によりプロペラ１６２を回転させて、吸水部材１５を通過した空気を冷風扇１の外部に送り出す。
【００２５】
ルーバ部１６４は、プロペラ１６２と送風口１２との間に設けられる。ルーバ部１６４は、冷風扇１の上下方向及び左右方向に揺動する複数のフィンを備える。ルーバ部１６４は、このフィンにより、上下方向及び左右方向の送風方向を変化させることができる。ルーバ部１６４は、フィンを駆動するためのモータを備える。ルーバ部１６４は、このモータにより、自動で送風方向を変化させることができる。なお、ルーバ部１６４は、モータを備えず手動で送風方向を変更可能であってもよい。
【００２６】
図４は、冷風扇１の部分断面図である。図４では、冷風扇１の吸水部材１５、タンク１７、蓋１８、及びそれらの周辺の断面を示している。図４に示すように、タンク１７は、吸水部材１５の下方に設けられる。タンク１７は、上面側が開放されるバスタブ状の容器である。タンク１７には、吸水部材１５に供給するための水が貯留される。
【００２７】
蓋１８は、トレイのような形状である。蓋１８は、タンク１７の開口に取り付けられて嵌め合うことが可能な形状を有する。蓋１８は、タンク１７の開口に取り付けられるとき、タンク１７の内部を閉塞する。蓋１８は、天面に開口を有し、タンク１７の外部と内部とを連通させている。蓋１８の開口には、水フィルタ２３が設けられる。水フィルタ２３は、水に含まれる塵などを除去するために、袋状に形成されたメッシュを用いて形成される。タンク１７及び蓋１８の開口の位置など、タンク１７及び蓋１８の詳細な構成は後述する。
【００２８】
受水トレイ１９は、鉛直方向における吸水部材１５とタンク１７との間に設けられる。受水トレイ１９は、トレイのような形状の部材である。受水トレイ１９は、天面に端部（外周側）から天面の中央付近にある頂点に向かって緩やかな傾斜が付けられている。受水トレイ１９は、傾斜面の頂点の位置に天面と裏面とを連通させる開口部を備える。
【００２９】
受水トレイ１９は、吸水部材１５から漏出する水を受ける。受水トレイ１９は、天面の外周側から開口に向かって傾斜している傾斜面により、天面に水があるときに、水を受水トレイ１９の開口に案内する。受水トレイ１９の開口は、吸水部材１５から漏出した水を蓋１８に流す。つまり、受水トレイ１９は、吸水部材１５から漏出する水を蓋１８に流す漏斗のように機能する。
【００３０】
ポンプ２１は、図２に示すようにベース部１４に載置され、ホースによりタンク１７に接続している。ポンプ２１は、タンク１７の中の水を吸水部材１５の上部に汲み上げる。
【００３１】
供給ノズル２２は、吸水部材１５の上部に設けられる。供給ノズル２２は、水を吸水部材１５に供給する。供給ノズル２２は、吸水部材１５の幅方向に複数の放水用のノズルが配置されている。供給ノズル２２は、この複数のノズルにより、吸水部材１５の全体に均一に水を流すことができる。以上のように、ポンプ２１及び供給ノズル２２は、供給部としての機能を有する。
【００３２】
[タンク及び蓋の構成]
次に、タンク１７及び蓋１８の詳細な構成を説明する。
【００３３】
図５は、タンク１７を示す斜視図である。図５に示すように、タンク１７は、タンク本体１７１と、第１開口部１７２と、第１側壁部１７３と、位置変化部１７４と、第１前壁部１７５と、第１係合孔１７６と、を備える。タンク１７は、冷風扇１に搭載されているときに正面パネル１１１側に向く面を前面とする。
【００３４】
タンク本体１７１は、下底と下底の四隅から立ち上げられる壁面により構成され、バスタブ状のタンク１７の概略形状を形成する。タンク本体１７１は、例えばポリプロピレン（ＰＰ）やポリエチレンテレフタラート（ＰＥＴ）などの合成樹脂を金型で成型したものである。
【００３５】
第１開口部１７２は、タンク本体１７１の上面側に設けられる。第１開口部１７２は、タンク１７の上面側のほぼ全体で開口している。このように形成される第１開口部１７２により、タンク１７は、タンク１７の内部の奥深い箇所まで手が届く。つまり、タンク１７は、清掃などを行う際に高いメンテナンス性を得ることができる。
【００３６】
第１側壁部１７３は、第１開口部１７２からタンク１７の上方向に延出される。第１側壁部１７３の上縁には、蓋１８を第１開口部１７２の開口面に沿って移動させる際に蓋１８の動きを案内するリブ状のガイドレール１７７が設けられる。
【００３７】
位置変化部１７４は、第１側壁部１７３の前面寄りの位置に設けられる。位置変化部１７４は、第１側壁部１７３を高さ方向に切り欠いたような形状である。位置変化部１７４の形状は、側面視の形状が概ね第１係合部１８６の側面視の形状に対応している。このため、位置変化部１７４は、蓋１８がタンク１７の第１開口部１７２に嵌め合わされているときには、第１係合部１８６に係合した状態になる。
【００３８】
位置変化部１７４の側壁の高さは、ガイドレール１７７の側壁と比較して２段階で低くなっている。位置変化部１７４は、タンク１７の第１開口部１７２に係合する蓋１８が、第１開口部１７２と嵌まり合う位置と水平方向で装置後方寄りの位置との間を移動するときに、蓋１８の鉛直方向（高さ方向）の位置を変化させる。
【００３９】
第１前壁部１７５は、第１開口部１７２からタンク１７の上方向に延出される。第１前壁部１７５は、第１側壁部１７３と連接して設けられる。
【００４０】
第１係合孔１７６は、第１前壁部１７５の壁面に設けられる。第１係合孔１７６は、蓋１８の第２前壁部１８７を当接させるときに第２係合部１８８を受け入れる。
【００４１】
図６は、冷風扇１のタンク１７の第１開口部１７２に設けられる蓋１８を示す斜視図である。図６に示すように、蓋１８は、天面１８１と、案内部１８２と、集水部１８３と、第２開口部１８４と、第２側壁部１８５と、第１係合部１８６と、第２前壁部１８７と、第２係合部１８８と、給水部１８９と、第３係合部１８０とを備える。蓋１８は、タンク１７と同じく、例えばポリプロピレン（ＰＰ）やポリエチレンテレフタラート（ＰＥＴ）などの合成樹脂を金型で成型したものである。
【００４２】
天面１８１は、蓋１８のほぼトレイ状の概略形状を定める。天面１８１は、蓋１８がタンク１７の第１開口部１７２に嵌め合わされているときに、上方向（吸水部材１５の方向）を向く。天面１８１には、案内部１８２、集水部１８３、及び第２開口部１８４が含まれる。
【００４３】
案内部１８２は、天面１８１に設けられる。案内部１８２は、天面１８１の端部から第２開口部１８４に向かって傾斜している傾斜面により、案内部１８２の上に水があるとき、水を第２開口部１８４に案内する。
【００４４】
集水部１８３は、第２開口部１８４を頂点として緩やかな傾斜が付けられた面である。集水部１８３は、案内部１８２から案内された天面１８１上の水を、傾斜面の頂点を含む位置に設けられる第２開口部１８４の方向に集める。
【００４５】
第２開口部１８４は、上述のように、集水部１８３の頂点とその周辺を含む位置に設けられる。第２開口部１８４は、天面１８１とその裏面とを連通させる孔である。第２開口部１８４は、蓋１８がタンク１７の第１開口部１７２に取り付けられているときに、吸水部材１５から天面１８１の上の水をタンク１７の内部に流入させる。
【００４６】
第２側壁部１８５は、天面１８１の側面側の端部から立ち上げられた壁面状の部分である。第２側壁部１８５には、タンク１７の位置変化部１７４及びガイドレール１７７に係合する第１係合部１８６が設けられる。
【００４７】
第１係合部１８６は、第２側壁部１８５から蓋１８の幅方向に突出した部分である。第１係合部１８６は、側面視の形状が概ね位置変化部１７４の側面視の形状に対応している。このため、第１係合部１８６は、蓋１８がタンク１７の第１開口部１７２に嵌め合わされているときには、位置変化部１７４に係合した状態になる。
【００４８】
第２前壁部１８７は、集水部１８３の前面側の端部から立ち上げられた壁面状の部分である。第２前壁部１８７は、第２側壁部１８５と連続して形成されている。第２前壁部１８７には、タンク１７の第１係合孔１７６に係合する第２係合部１８８が設けられる。
【００４９】
第２係合部１８８は、第２前壁部１８７から蓋１８の外方向に突出した爪状の部分である。第２係合部１８８の位置は、蓋１８がタンク１７の第１開口部１７２に嵌め合わされているときの、第１係合孔１７６の位置に対応している。このため、第２係合部１８８は、蓋１８が第１開口部１７２に嵌め合わされているときには、第１係合孔１７６に係合した状態になる。
【００５０】
給水部１８９は、蓋１８の後側の端部に設けられる。給水部１８９は、蓋１８の天面１８１とその裏側とを連通させる孔である。図２に示すように、給水部１８９は、蓋１８を取り付けられたタンク１７を冷風扇１に搭載した状態において、冷風扇１の背面（後方）側を向く位置に設けられる。給水部１８９には、孔を塞ぐためのキャップ２４が設けられる。
【００５１】
給水部１８９は、一般的な水道用のホースを挿入可能な開口径を有している。このため、給水部１８９は、タンク１７を冷風扇１から取り出すことなく、給水を可能にしている。また、給水部１８９は、ホースを挿入したままにすることで、継続的なタンク１７への給水も可能にしている。
【００５２】
第３係合部１８０は、蓋１８の後端付近で裏面方向に突出した爪状の部分である。第３係合部１８０の位置は、蓋１８がタンク１７の第１開口部１７２に嵌め合わされているときの、第２係合孔１７８位置に対応している。このため、第３係合部１８０は、蓋１８が第１開口部１７２に嵌め合わされているときには、第２係合孔１７８に係合した状態になる。
【００５３】
［吸水部材からタンクへの流路］
図７は、図４の断面図の部分拡大図である。図７を用いて、吸水部材１５から漏出する水がタンク１７に還流する流路について説明する。受水トレイ１９は、吸水部材１５の下方、具体的には鉛直方向における吸水部材１５とタンク１７との間に設けられる。受水トレイ１９は、吸水部材１５から漏出した水を受けて、第３開口部１９１から水を下方の蓋１８に流す受水部として機能する。
【００５４】
受水トレイ１９の第３開口部１９１は、水平方向の位置が、蓋１８の第２開口部１８４の鉛直方向上方とは異なる位置に設けられる。第３開口部１９１は、例えば、第２開口部１８４から水平方向に距離Ｌだけ装置後方に離れた位置に設けられる。
【００５５】
以下の説明において、図４及び図７に示すように、蓋１８が、吸水部材１５の下方に搭載されているタンク１７の第１開口部１７２を覆うとき、このような蓋１８の位置を第１位置という。また、タンク１７が吸水部材１５の下方に搭載されている状態で、蓋１８のみがタンク１７の第１開口部１７２から離れて冷風扇１の装置後方（送風口１２とは反対側）に突出するとき、このような蓋１８の位置を第２位置という。
【００５６】
第２開口部１８４は、吸水部材１５の鉛直方向下方とは異なる位置に設けられる。つまり、冷風扇１では、蓋１８が第１位置にあるときに、吸水部材１５の下方から漏出する水が、受水トレイ１９の第３開口部１９１から、蓋１８の案内部１８２及び第２開口部１８４を経由してタンク１７に流れる。このため、冷風扇１において、吸水部材１５の下方から漏出する水が、直接的にタンク１７内の水面に落ちることがない。
【００５７】
したがって、冷風扇１では、吸水部材１５の下方から漏出する水がタンク１７の内部の水面に流入することによる騒音を低減することができる。
【００５８】
［タンクへの給水］
次に、蓋１８を用いて行う、冷風扇１に搭載されているタンク１７への給水について説明する。
【００５９】
［蓋の動作］
図８は、蓋１８の側面の第１係合部１８６とタンクの位置変化部１７４の段差とが係合した状態を示す冷風扇１の側面図である。図８を用いて、蓋１８を第１位置から第２位置に移動させるときの動作について説明する。作業者は、蓋１８をタンク１７の第１開口部１７２に対する位置を第１位置から第２位置に移動させるとき、ユーザは、蓋１８の後端寄りにある第３係合部１８０とタンク１７の第２係合孔１７８との係合を解く。上記係合を解いた後、ユーザは、装置後方の案内部１８２の後端付近を手前に引く。そうすると、蓋１８は、第２係合部１８８とタンク１７の第１係合孔１７６との係合が解かれる。上記係合が解かれると、蓋１８は、装置後方に移動する。
【００６０】
蓋１８が装置後方に移動すると、蓋１８の第１係合部１８６は、タンク１７の位置変化部１７４に嵌まり合う状態から解かれる。第１係合部１８６は、位置変化部１７４により鉛直方向（高さ方向）の位置が変化しながら装置後方のガイドレール１７７に向かう。このとき、蓋１８は、第１係合部１８６とタンク１７の位置変化部１７４それぞれの形状により、わずかに案内部１８２寄りの端部が斜め上向きになって略平行に装置後方へ移動する。
【００６１】
ガイドレール１７７の位置に移動した第１係合部１８６は、ガイドレール１７７と係合しながら第２位置まで装置後方に移動する。
【００６２】
タンク１７の位置変化部１７４及び蓋１８の第１係合部１８６それぞれの形状により、冷風扇１では、蓋１８の位置を第１位置から第２位置に移動させる際に、スムーズに略平行方向へ移動させることができる。このため、冷風扇１では、このようなタンク１７及び蓋１８の形状により、タンク１７の上部の空間が狭い場合でも、蓋１８をスムーズに第１位置から第２位置に移動させることができる。
【００６３】
図９は、蓋１８を第２位置に移動させた状態を示す冷風扇１の断面図である。また、図１０は、図９の断面図の部分拡大図である。図９及び図１０に示すように、蓋１８は、第１開口部１７２を覆う第１位置と、第１位置から第１開口部１７２に沿って離れる第２位置との間を相互に移動可能である。蓋１８は、タンク１７の第１側壁部１７３に設けられる位置変化部１７４とガイドレール１７７とにより、第１位置から略平行に第２位置に移動することができる。
【００６４】
蓋１８が第２位置に位置したとき、案内部１８２の部分が冷風扇１の装置後方から突出している。給水を行う作業者は、水を案内部１８２の上方からタンク１７に流入させることができる。
【００６５】
以上説明したように、冷風扇１は、蓋１８が第１開口部１７２を覆う第１位置と第１位置から離れる第２位置との間を相互に第１開口部に沿って移動可能であるため、水の補給を容易に行うことができる。
【００６６】
また、冷風扇１は、タンク１７の上部において、蓋１８と受水トレイ１９とが近接して配置される。このため、冷風扇１では、蓋１８を第２位置に移動させた状態で蓋１８の案内部１８２寄りの端部に下方向の荷重が加わっても、受水トレイ１９の下面が蓋１８の天面に接するため、蓋１８が上方向に持ち上がりにくい。つまり、冷風扇１では、例えば給水時に蓋１８の上部に給水用のポリタンクの重さが加わったとしても、蓋１８の反転を防ぐことができる。
【符号の説明】
【００６７】
１      ：冷風扇
１２    ：送風口
１３    ：操作盤
１４    ：ベース部
１５    ：吸水部材
１６    ：送風部
１７    ：タンク
１８    ：蓋
１９    ：受水トレイ
２１    ：ポンプ
２２    ：供給ノズル
２３    ：水フィルタ
２４    ：キャップ
１１１  ：正面パネル
１１２  ：上面パネル
１１３  ：側面パネル
１１４  ：側面パネル
１４１  ：キャスタ
１５１  ：フィルタ
１６１  ：モータ
１６２  ：プロペラ
１６３  ：シュラウド
１６４  ：ルーバ部
１７１  ：タンク本体
１７２  ：第１開口部
１７３  ：第１側壁部
１７４  ：位置変化部
１７５  ：第１前壁部
１７６  ：第１係合孔
１７７  ：ガイドレール
１７８  ：第２係合孔
１８０  ：第３係合部
１８１  ：天面
１８２  ：案内部
１８３  ：集水部
１８４  ：第２開口部
１８５  ：第２側壁部
１８６  ：第１係合部
１８７  ：第２前壁部
１８８  ：第２係合部
１８９  ：給水部
１９１  ：第３開口部
【図１】
2019082291.tif 000003
【図２】
2019082291.tif 000004
【図３】
2019082291.tif 000005
【図４】
2019082291.tif 000006
【図５】
2019082291.tif 000007
【図６】
2019082291.tif 000008
【図７】
2019082291.tif 000009
【図８】
2019082291.tif 000010
【図９】
2019082291.tif 000011
【図１０】
2019082291.tif 000012